(57)【要約】      （修正有）【課題】投げ釣りや船釣りにおいてキス等を釣る際は、タコを同時に狙える機会でもあり、これらを同時に高確率に釣ることができる魚釣り用天秤を提供する。【解決手段】天秤主軸５にタコ掛け針２とオモリ３を装着し、オモリ３に擬餌４を被せることにより、仕掛けを絡ませない天秤本来の機能を損なうことなく、キス等とタコを同時に高確率に釣ることができる釣り用天秤を提供する。更に、タコ掛け針２が根掛かるのを軽減するため、天秤主軸５からタコ掛け針２と同じく上向きに根掛かり防止アーム９を突き出し、かつ、根掛かり防止アーム９に浮力体１０を装着し、タコ掛け針２が常に上を向くようにし機能を高める。【選択図】図１
0003151266.tif 000002
【実用新案登録請求の範囲】
【請求項１】
魚釣り用天秤の一端にタコ掛け針と擬餌を装着する、或は、魚釣り用天秤のオモリの替わりに、タコテンヤやタコジグを装着することにより、仕掛を絡ませない魚釣り用天秤本来の機能を損なうことなく、キス等の海底の魚とタコを同時に釣ることができることを特徴とする魚釣り用天秤。
【請求項２】
請求項１に記載の魚釣り用天秤本体からタコ掛け針と同じく上向きに、浮力体を装着した線状材を突き出し、針先が障害物に触れる機会を減らし根掛かりを軽減し、いかなる状況においても針先が上に向くようにしたことを特徴とする魚釣り用天秤。
【考案の詳細な説明】
【技術分野】
【０００１】  本考案は、道糸と仕掛けの間に接続する魚釣り用天秤に関するものである。
【背景技術】
【０００２】  従来より、投げ釣りや船釣りにおいてキス等の海底の魚を釣る際、遠投や海中への投下で仕掛が絡まないように、魚釣り用天秤にオモリをつけて海底に仕掛けを着底させ釣りを行っていた。【０００３】  投げ釣りや船釣りにおいてキス等を釣る際、タコが仕掛けのビーズ等の装飾に抱き付き釣れることがあるが、キス等の魚とタコを同時に狙うことはなく、そういった釣り具も考案されておらず、タコを釣る際は、餌や擬餌を巻き付けて使用するタコ専用のタコテンヤ、或は擬餌と掛け針が組み合わさったタコ専用のタコジクを用いるのが普通であった。
【先行技術文献】
【特許文献】
【０００４】
【特許文献１】  実用新案２０００−００１０７３号
【考案の概要】
【考案が解決しようとする課題】
【０００５】  前述したタコが仕掛けのビーズ等の装飾に抱き付き釣れるという現象は、あくまで偶然であって、タコが抱き付く頻度もタコ専用のタコテンヤやタコジグに劣り、また、抱き付いたとしてもキス等を釣る小さな針では獲り込める確率が低いという問題があった。【０００６】  キス等の海底の魚とタコは生息域が類似しており、キス等の海底の魚を釣る際は、タコを同時に狙える機会でもあり、釣り人から見れば非常に勿体ない状況ではあったが、同時に狙える有効な釣り具がないという問題があった。【０００７】  また、タコテンヤやタコジグは針が大きい特性上、根掛かりの頻度が高いという問題もあった。【０００８】  本考案はこれらの問題を解決し、高確率にタコを釣ることができ、かつ、根掛かりの少ない、キス等の海底の魚を釣る際に使用する魚釣り用天秤を提供するものである。
【課題を解決するための手段】
【０００９】  本考案は、投げ釣りや船釣りに用いる線状材からなる魚釣り用天秤のオモリ部に、タコ掛け針を装着し、オモリの上にタコベイト等の擬餌を被せる、或は、魚釣り用天秤のオモリの替わりに、タコテンヤやタコジグを装着することにより問題を解決する。【００１０】  また、タコを掛ける大きな針が根掛かりしないよう、魚釣り用天秤本体からタコを掛ける針と同じく上方向に線状材を突き出すことにより、針が障害物に触れる機会を減らし問題を解決する。
【考案の効果】
【００１１】  上記の構造により、仕掛けを絡まないようにする魚釣り用天秤本来の機能を損なうことなく、タコ専用のタコテンヤやタコジグ同様にタコを釣ることができ、かつ、根掛かりも少ない、従来にはなかった魚釣り用天秤が提供でき、キス等の海底の魚とタコを同時に狙うことができ釣果が向上する。
【図面の簡単な説明】
【００１２】
【図１】本考案タコ釣り機能付き魚釣り用天秤の一例を示す斜視図である。
【図２】本考案タコ釣り機能付き魚釣り用天秤の一例を示す分解斜視図である。
【図３】本考案タコ釣り機能付き魚釣り用天秤においてタコテンヤを使用した一例を示す斜視図である。
【考案を実施するための形態】
【００１３】  本考案タコ釣り機能付き魚釣り用天秤本体は、ステンレス製等の剛性のある線状材が望ましい。錆びに強く、折曲により容易に成型することができるためである。
【００１４】  天秤のオモリ部にタコ掛け針を装着し、オモリの上にタコベイト等の擬餌を被せる構造の場合、タコ掛け針が海底側に向き根掛かりが発生する可能性があることから、天秤本体からタコ掛け針と同じく上方向に根掛かり防止の目的で突き出した線状材に浮力体を装着する。これにより、タコ掛け針を常に上に向けることができる。
【００１５】  尚、タコ掛け針が上を向くよう設計されたタコテンヤを、天秤のオモリ部にオモリの替わりとして装着する場合は、タコ掛け針が海底側に向くという問題はない。
【実施例】
【００１６】  以下、添付図面に従って一実施例を説明する。【００１７】  図１は、本考案タコ釣り機能付き魚釣り用天秤の一例を示す斜視図である。図２は、本考案タコ釣り機能付き魚釣り用天秤の一例を示す分解斜視図である。図により明らかなように本考案タコ釣り機能付き魚釣り用天秤１は、道糸接続管６を有す天秤主軸５と、仕掛け接続管８を有す「くの字」に折り曲げた仕掛け用アーム７からなる天秤部、タコ掛け針２とオモリ３、擬餌４からなるタコ掛け部、浮力体１０と接続管１１を有す根掛かり防止アーム９からなる根掛かり回避部から構成する。【００１８】  天秤主軸５、仕掛け用アーム７、根掛かり防止アーム９の素材については、ステンレス製等の剛性のある線状材が、錆びに強く、成型が容易な点等において適している。また、擬餌４については、タコベイトが実績も高く、中空であるためオモリ３に被せやすい点においても適している。【００１９】  天秤主軸５の後方にタコ掛け針２とオモリ３を溶接し、天秤主軸５の前方から、タコ掛け針２と同じく上方向に向け根掛かり防止アーム９を溶接し、根掛かり防止アーム９からほぼ直角に開いた位置に仕掛け用アーム７を溶接する。【００２０】  タコ掛け部を天秤主軸５にサルカン等で遊動的に連結する方法もあるが、仕掛けや仕掛け用アーム７に絡む問題が発生する恐れがあり、タコ掛け部は天秤主軸５に直接溶接し固定するのが望ましい。【００２１】  タコベイト等の擬餌４については、オモリ３に被せて固定し、浮力体１０については根掛かり防止アーム９に通した後、接続管１１を形成することにより固定する。【００２２】  浮力体１０については、タコ掛け針２が海底側に向き根掛かりが多発することを防止する目的のほか、ゆらゆらと揺れることでタコを誘う効果も期待できる。また、接続管１１を形成しておくことにより、釣り人の好みに応じてタコを誘う装飾具の装着を可能にしている。【００２３】  図３は、本考案タコ釣り機能付き魚釣り用天秤においてタコテンヤを使用した一例を示す斜視図である。基本的な構造は図１、図２に基づき前述した内容と変わらないが、タコテンヤ１２はタコ掛け針２が上を向くよう設計された釣り具であるため、浮力体１０の必要性は低い。【００２４】  本考案タコ釣り機能付き魚釣り用天秤の一実施例は前述の如き構成からなるものであり、仕掛を絡まないようにする魚釣り用天秤本来の機能を損なうことなく、タコ専用のタコテンヤやタコジグ同様にタコを釣ることができ、かつ、根掛かりも少ない、キス等の海底の魚とタコを同時に釣ることができる画期的な魚釣り用天秤である。
【符号の説明】
【００２５】  １  本考案タコ釣り機能付き魚釣り用天秤
２  タコ掛け針
３  オモリ
４  擬餌
５  天秤主軸
６  道糸接続管
７  仕掛け用アーム
８  仕掛け接続管
９  根掛かり防止アーム
１０  浮力体
１１  接続管
１２  タコテンヤ
【図１】
0003151266.tif 000003
【図２】
0003151266.tif 000004
【図３】
0003151266.tif 000005